(57)【要約】【課題】  バイクに簡単に取り付けることのできる安全性の高い傘等の長尺物取付ベルトを提供する。【解決手段】バイクの一方のバックミラーの支柱５に装着される第１取付部２ａと、他方のバックミラーの支柱５に装着される第２取付部２ｂと、前記第１装着部２ａと前記第２装着部２ｂとの間に形成され、バイクのステップに立て掛けられた傘等の長尺物を固定保持する保持部３とを備える。【選択図】図２
0003190324.tif 000002
【実用新案登録請求の範囲】
【請求項１】
バイクの両サイドのバックミラーの支柱に架け渡されるベルトであって、前記一方のバックミラーの支柱に装着される第１取付部と、他方のバックミラーの支柱に装着される第２取付部と、前記第１取付部と前記第２取付部との間に設けられ、バイクのステップに立て掛けられた傘等の長尺物を固定保持する保持部とを備えてなる長尺物取付ベルト。
【請求項２】
前記各取付部は、前記ベルトの先端部からやや中央寄りに取り付けられたベルト留め具からなり、前記ベルトの先端部をバックミラーの支柱に巻き付けた後、前記ベルト留め具に通して締め付けることにより、前記ベルトがバックミラーの支柱に固定されることを特徴とする請求項１に記載の長尺物取付ベルト。
【請求項３】
前記保持部は、前記ベルトの中央部分に取り付けられた補助ベルトや中央部分に設けられた二枚重ねのベルトで構成され、傘等の長尺物を前記ベルトに取り付けるときは、バイクのステップに立て掛けられた傘等の長尺物を前記補助ベルトや二枚重ねのベルトで固定することを特徴とする請求項１に記載の長尺物取付ベルト。
【請求項４】
前記ベルトは、合成繊維で形成され、それを折り畳んだ状態で収納する収納袋が前記ベルトの一部に取り付けられていることを特徴とする請求項１に記載の長尺物取付ベルト。
【考案の詳細な説明】
【技術分野】
【０００１】  本考案は、原動機付自転車（以下、バイクと称する）に傘等を取り付けることのできるベルトに関する。
【背景技術】
【０００２】  バイクには、ヘルメットや手提げ袋を取り付ける金具は設けられているが、傘等の長尺物を取り付ける金具は設けられていない。
【考案の概要】
【考案が解決しようとする課題】
【０００３】  そのため、バイクに乗るときに、傘等の長尺物があると、置きどころに困るし、バックミラーに引っ掛けて運転するのも危険である。そのため、バイクでは、傘等の長尺物を持ち運べないという問題があった。
本考案は、バイクに簡単に取り付けることのできる安全性の高い長尺物取付ベルトを提供することを課題とする。
【課題を解決するための手段】
【０００４】  本考案に係る長尺物取付ベルトは、バイクの両サイドのバックミラーの支柱に架け渡されるベルトであって、一方のバックミラーの支柱に取り付ける第１取付部と、他方のバックミラーの支柱に取り付ける第２取付部と、前記第１取付部と前記第２取付部との間に設けられて、バイクのステップに立て掛けられた傘等の長尺物を保持する保持部とを備えたことを特徴とする。【０００５】  この長尺物取付ベルトは、合成繊維の布地で形成されている。また、ベルト両端部の取付部は、ベルト先端部よりやや中央寄りに取り付けたベルト留め具で構成される。ベルト留め具としては、例えば、Ｄカンや角カン、バックル等のベルト留め具を使用する。また、ベルトが布地であることから、これらの留め具の代わりに面ファスナーを縫い付けたものであっても良い。
そして、使用に際しては、ベルトの一方の先端部をバックミラーの支柱に巻き付けた後、その先端部をベルト留め具に通して締め付ければ、バックミラーの一方の支柱に固定される第１取付部となる。同様にして、他方の先端部を他方のバックミラーの支柱に巻き付けて留め具に通して締め付ければ、第２取付部となる。このとき、ベルトの一部にベルトの長さを調整する調整部を設けておく。或いは、ベルト留め具からベルト先端部までの長さを長めに設定して、バックミラーの支柱に余裕をもって架橋できるようにしても良い。そうすれば、車種が異なっても使用することができる。また、Ｄカンや角カン等に代えて、茄子カン等を使用しても良い。また、長尺物としては、傘の他にステッキ等も同様に保持することができる。【０００６】  保持部は、ベルトの中央部分に縫いつけられた紐状の補助ベルトで構成される。そして、傘等の長尺物を取り付けるときは、バイクのステップに立て掛けた傘の柄等に補助ベルトを巻き付けてその両端を結ぶ。或いは、補助ベルトの両端部に面ファスナーを縫い付けて、これで傘の柄を締め付けて固定する。あるいは、ベルトの中央部分を二枚重ねにし、そこを開いて保持部を形成し、その保持部内に傘の柄等を差し込んで保持させる構成としても良い。
これにより、長尺物は、バイクのハンドル部分に確実に固定されるから、バイクに乗ってハンドルを動かしても外れるようなことはない。また、補助ベルトの両端部にバックル等のベルト留め具等を取り付けて、傘の柄等を締め付けて固定するようにしても良い。
【考案の効果】
【０００７】  本考案によれば、傘等の長尺物であっても、両サイドのバックミラーの支柱に掛け渡したベルトによって固定することができるから、傘等をバイクに装着しても、振動等によって外れもこともなく、安全運転も可能となる。
【図面の簡単な説明】
【０００８】
【図１】本考案に係る長尺物取付ベルトを展開した状態の正面図。
【図２】他のベルト留め具で構成した長尺物取付ベルトのバイクへの取付状態の外観斜視図。
【図３】他の実施形態の外観斜視図。
【図４】図３の実施形態に係る長尺物取付ベルトを用いて、立て掛けた傘をバイクのハンドルへ取り付けた状態の外観斜視図。
【考案を実施するための形態】
【０００９】  図１は、本考案に係る長尺物取付ベルトを展開した状態の正面図、図２は、ベルト留め具をバックルで構成した場合のバイクへの取付状態の外観斜視図である。
これらの図において、この長尺物取り付けベルト１は、合成繊維で形成され、その両先端部からやや中央寄りには、Ｄカンやバックル等からなるベルト留め具４がそれぞれ縫い付けられている。そして、各先端部をバイクのバックミラーの支柱５に巻き付けてベルト留め具４に通して締め付ければ、図２に示す各取付部２ａ、２ｂが形成される。
【００１０】  保持部３は、同じく合成繊維で形成され、ベルト１の中央部分に縫い付けられた適宜な長さを有する補助ベルトで構成される。そして、傘等の長尺物をハンドルに固定するときは、バイクのステップに立て掛けた傘の柄等に補助ベルトを巻き付けて結ぶ。或いは、補助ベルトの両端に面ファスナーを取り付け、それで傘等の柄を締め付けて固定する。これにより、バイクのステップに立て掛けられた傘等の柄は、ハンドルに固定することができる。
【００１１】  図３は、他の実施形態を示したもので、この実施形態では、ベルト１の中央部分を二枚重ねにし、そこを開いて保持部３を形成し、さらにその保持部３から第２のベルト６を吊り下げ、その第２のベルト６の先端部にも、図２と同様な補助ベルトからなる保持部３ａを取り付けたものである。
【００１２】  そして、傘をバイクに取り付けるときは、図４に示すように、ベルト１の一方の先端部をバックミラーの支柱５に巻き付けた後、その先端部をベルト留め具４に通して締め付ける。同様にして、他方の先端部を他方のバックミラーの支柱５に巻き付けてベルト留め具４に通して締め付ける。そして、バイクのステップに立てかけた傘の柄を二枚重ねの中央の保持部３に入れて保持させ、さらに、傘の胴体部分を吊り下げられた保持部３ａで巻き付けて固定する。このとき、吊り下げられた第２のベルト６をヘルメット等を止める金具に引っかけて、移動しないように固定すると良い。
【００１３】  また、ベルト１の一か所に、ベルト１を折り畳んだ状態で収納する収納袋７を縫い付け、不使用時には、折り畳んだベルト１を収納袋７に収納するように構成する。これにより、携帯に便利なサイズに纏めることができる。
【符号の説明】
【００１４】  １    ベルト
２ａ    第１取付部
２ｂ    第２取付部
３    保持部（補助ベルト）
３ａ    保持部
４    ベルト留め具
５    バックミラーの支柱
６    第２のベルト
７    収納袋
【図１】
0003190324.tif 000003
【図２】
0003190324.tif 000004
【図３】
0003190324.tif 000005
【図４】
0003190324.tif 000006